(57)【要約】【課題】光記録メディアから再生可能なコンテンツを視聴時期に応じて増減可能なメディア再生システム、メディア再生装置及び制御プログラムを提供する。【解決手段】、光ディスクに非接触で通信可能に半導体メモリを設けると共に、この半導体メモリにリリース情報及び追加コンテンツ情報を記録しておき、メディア再生装置が、リリース情報内のリリース日から所定の期間が経過している場合は、半導体メモリに記録された追加コンテンツ情報の再生を禁止し、所定の期間が経過している場合に追加コンテンツ情報の再生を許可する。【選択図】図６
2009116935.tif 000002
【特許請求の範囲】
【請求項１】
光記録メディアに記録されたコンテンツ情報をメディア再生装置で再生するメディア再生システムにおいて、
光記録メディアに非接触で通信可能に半導体メモリを設けると共に、前記半導体メモリに、追加コンテンツ情報を記録すると共に前記追加コンテンツ情報の再生許可時期を特定する時期特定情報を記録し、
前記メディア再生装置は、
前記光記録メディアに記録されたコンテンツ情報及び前記追加コンテンツ情報を再生可能な再生手段と、
前記半導体メモリに記録された情報を読み取り可能なメモリアクセス手段と、
前記半導体メモリに記録された時期特定情報に基づいて再生許可時期を特定し、この再生許可時期内であれば、前記コンテンツ情報及び前記追加コンテンツ情報の再生を許可し、再生許可時期外であれば、前記追加コンテンツ情報の再生を禁止し、前記コンテンツ情報の再生を許可する再生コンテンツ制御手段と
を備えることを特徴とするメディア再生システム。
【請求項２】
請求項１に記載のメディア再生システムにおいて、
前記時期特定情報は、前記光記録メディアのリリース日であり、このリリース日から所定期間経過後の期間を前記再生許可時期に設定することを特徴とするメディア再生システム。
【請求項３】
請求項１又は２に記載のメディア再生システムにおいて、
前記半導体メモリに複数の前記追加コンテンツ情報が記録される場合、前記再生コンテンツ制御手段は、前記時期特定情報から前記追加コンテンツ情報毎に各追加コンテンツ情報の再生を許可する再生許可時期を設定することを特徴とするメディア再生システム。
【請求項４】
請求項１乃至３のいずれか一項に記載のメディア再生システムにおいて、
前記半導体メモリは、情報を読み出すと記録された情報が消失する破壊読み出しメモリであることを特徴とするメディア再生システム。
【請求項５】
光記録メディアに記録されたコンテンツ情報を再生するメディア再生装置において、
前記光記録メディアが、追加コンテンツ情報と前記追加コンテンツ情報の再生許可時期を特定する時期特定情報とを記録した半導体メモリを備える場合に、前記半導体メモリに記録された各情報を読み取り可能なメモリアクセス手段と、
前記光記録メディアに記録されたコンテンツ情報及び前記半導体メモリに記録された追加コンテンツ情報を再生可能な再生手段と、
前記半導体メモリに記録された時期特定情報に基づいて再生許可時期を特定し、この再生許可時期内であれば、前記コンテンツ情報及び前記追加コンテンツ情報の再生を許可し、再生許可時期外であれば、前記追加コンテンツ情報の再生を禁止し、前記コンテンツ情報の再生を許可する再生コンテンツ制御手段と
を備えることを特徴とするメディア再生装置。
【請求項６】
請求項５に記載のメディア再生装置において、
前記時期特定情報は、前記光記録メディアのリリース日であり、このリリース日から所定期間経過後の期間を前記再生許可時期に設定することを特徴とするメディア再生装置。
【請求項７】
請求項５又は６に記載のメディア再生装置において、
前記半導体メモリに複数の前記追加コンテンツ情報が記録される場合、前記再生コンテンツ制御手段は、前記時期特定情報から前記追加コンテンツ情報毎に各追加コンテンツ情報の再生を許可する再生許可時期を設定することを特徴とするメディア再生装置。
【請求項８】
光記録メディアに記録されたコンテンツ情報を再生するメディア再生装置をコンピュータにより制御するための制御プログラムにおいて、
前記光記録メディアが、追加コンテンツ情報と前記追加コンテンツ情報の再生許可時期を特定する時期特定情報とを記録した半導体メモリを備える場合に、前記半導体メモリに記録された時期特定情報を読み取り、
前記時期特定情報に基づき前記追加コンテンツ情報の再生許可時期内か否かを判定し、再生許可時期内であれば、光記録メディアに記録されたコンテンツ情報及び前記追加コンテンツ情報の再生を許可し、再生許可時期外であれば、前記コンテンツ情報の再生を許可することを特徴とする制御プログラム。
【発明の詳細な説明】
【技術分野】
【０００１】
本発明は、光記録メディアから再生可能なコンテンツを増減可能なメディア再生システム、メディア再生装置及び制御プログラムに関する。
【背景技術】
【０００２】
現在、映画等が記録されたＤＶＤ（Ｄｉｇｉｔａｌ  Ｖｅｒｓａｔｉｌｅ  Ｄｉｓｃ）のレンタルサービスが提供されている。近年、この種のサービスには、インターネットに接続されたセンターから映画の映像・音声データを、同じくインターネットに接続された視聴者の端末にダウンロード可能にしたビデオ・オン・デマンドシステムがある。このシステムには、センターから映画紹介やコマーシャル等の映像・音声データをダウンロードし、視聴者側で視聴可能にしたものがある（例えば、特許文献１参照）。
【特許文献１】特開２００１−１９７４７７号公報
【発明の開示】
【発明が解決しようとする課題】
【０００３】
ところで、従来のサービスでは、主コンテンツである映画コンテンツ以外の付加コンテンツ（映画紹介、コマーシャル、特典映像等）を視聴時期に応じて増減するものはない。一方、近年のＤＶＤでは、映画タイトルに加え、様々な特典映像を記録することによってＤＶＤの魅力を高めている。
そこで、本発明の目的は、光記録メディアから再生可能なコンテンツを視聴時期に応じて増減可能なメディア再生システム、メディア再生装置及び制御プログラムを提供することにある。
【課題を解決するための手段】
【０００４】
上述課題を解決するため、本発明は、光記録メディアに記録されたコンテンツ情報をメディア再生装置で再生するメディア再生システムにおいて、光記録メディアに非接触で通信可能に半導体メモリを設けると共に、前記半導体メモリに、追加コンテンツ情報を記録すると共に前記追加コンテンツ情報の再生許可時期を特定する時期特定情報を記録し、前記メディア再生装置は、前記光記録メディアに記録されたコンテンツ情報及び前記追加コンテンツ情報を再生可能な再生手段と、前記半導体メモリに記録された情報を読み取り可能なメモリアクセス手段と、前記半導体メモリに記録された時期特定情報に基づいて再生許可時期を特定し、この再生許可時期内であれば、前記コンテンツ情報及び前記追加コンテンツ情報の再生を許可し、再生許可時期外であれば、前記追加コンテンツ情報の再生を禁止し、前記コンテンツ情報の再生を許可する再生コンテンツ制御手段とを備えることを特徴とする。
【０００５】
この発明によれば、半導体メモリに記録された時期特定情報に基づいて再生許可時期を特定し、この再生許可時期内であれば、光記録メディアに記録されたコンテンツ情報及び半導体メモリに記録された追加コンテンツ情報の再生を許可し、再生許可時期外であれば、追加コンテンツ情報の再生を禁止し、コンテンツ情報の再生を許可するので、視聴時期に応じて再生可能なコンテンツを増減することができる。
【０００６】
上記構成において、前記時期特定情報は、前記光記録メディアのリリース日であり、このリリース日から所定期間経過後の期間を前記再生許可時期に設定することが好ましい。この構成によれば、光記録メディアのリリース日を基準に再生可能なコンテンツを増減することが可能になる。
【０００７】
また、上記構成において、前記半導体メモリに複数の前記追加コンテンツ情報が記録される場合、前記再生コンテンツ制御手段は、前記時期特定情報から前記追加コンテンツ情報毎に各追加コンテンツ情報の再生を許可する再生許可時期を設定することが好ましい。この構成によれば、視聴時期に応じて再生可能な追加コンテンツ情報を様々に変更することができる。
【０００８】
上記構成において、前記半導体メモリは、情報を読み出すと記録された情報が消失する破壊読み出しメモリであることが好ましい。この構成によれば、半導体メモリから不正に追加コンテンツ情報を読み出された場合に追加コンテンツ情報を半導体メモリから消失させることができる。
【０００９】
また、本発明は、光記録メディアに記録されたコンテンツ情報を再生するメディア再生装置において、前記光記録メディアが、追加コンテンツ情報と前記追加コンテンツ情報の再生許可時期を特定する時期特定情報とを記録した半導体メモリを備える場合に、前記半導体メモリに記録された各情報を読み取り可能なメモリアクセス手段と、前記光記録メディアに記録されたコンテンツ情報及び前記半導体メモリに記録された追加コンテンツ情報を再生可能な再生手段と、前記半導体メモリに記録された時期特定情報に基づいて再生許可時期を特定し、この再生許可時期内であれば、前記コンテンツ情報及び前記追加コンテンツ情報の再生を許可し、再生許可時期外であれば、前記追加コンテンツ情報の再生を禁止し、前記コンテンツ情報の再生を許可する再生コンテンツ制御手段とを備えることを特徴とする。
【００１０】
この発明によれば、半導体メモリに記録された時期特定情報に基づいて再生許可時期を特定し、この再生許可時期内であれば、光記録メディアに記録されたコンテンツ情報及び半導体メモリに記録された追加コンテンツ情報の再生を許可し、再生許可時期外であれば、追加コンテンツ情報の再生を禁止し、コンテンツ情報の再生を許可するので、視聴時期に応じて再生可能なコンテンツを増減することができる。
【００１１】
上記構成において、前記時期特定情報は、前記光記録メディアのリリース日であり、このリリース日から所定期間経過後の期間を前記再生許可時期に設定することが好ましい。この構成によれば、光記録メディアのリリース日を基準に再生可能なコンテンツを増減することができる。
【００１２】
また、上記構成において、前記半導体メモリに複数の前記追加コンテンツ情報が記録される場合、前記再生コンテンツ制御手段は、前記時期特定情報から前記追加コンテンツ情報毎に各追加コンテンツ情報の再生を許可する再生許可時期を設定することが好ましい。この構成によれば、視聴時期に応じて再生可能な追加コンテンツ情報を様々に変更することができる。
【００１３】
また、本発明は、以上説明したメディア再生装置に適用する他、この発明を実施するための制御プログラムを電気通信回線を介して一般ユーザに配布したり、そのようなプログラムを、磁気記録媒体、光記録媒体、半導体記録媒体といった、コンピュータに読み取り可能な記録媒体に格納して一般ユーザに配布する、といった態様でも実施され得る。
【発明の効果】
【００１４】
本発明によれば、半導体メモリに記録された時期特定情報に基づいて再生許可時期を特定し、この再生許可時期内であれば、光記録メディアに記録されたコンテンツ情報及び半導体メモリに記録された追加コンテンツ情報の再生を許可し、再生許可時期外であれば、追加コンテンツ情報の再生を禁止し、コンテンツ情報の再生を許可するので、光記録メディアから再生可能なコンテンツを視聴時期に応じて増減することができる。
【発明を実施するための最良の形態】
【００１５】
以下、図面を参照して本発明の実施形態を詳述する。
＜第１実施形態＞
図１は本発明の実施形態に係るメディア再生システムの概要を示す図である。
このメディア再生システム１は、レンタルサービス提供者２が貸し出すＤＶＤなどの光ディスク（光記録メディア）１０と、光ディスク１０を借りた利用者３が光ディスク１０の再生に使用するメディア再生装置２０とを備える。
図１に示すように、メディア再生装置２０のタイプとしては、映像出力及び音声出力を備えてテレビなどの映像音声出力装置２１に映像及び音声を出力する、いわゆる単体ディスクプレーヤ構成のメディア再生装置２２や、コンピュータ本体２４Ａと表示装置２４Ｂとを備えたパーソナルコンピュータ構成のメディア再生装置２４が挙げられる。これらメディア再生装置２２及び２４は、光ディスク１０に記録された情報を読み取るドライブ装置２５を各々備えている。
【００１６】
次に、このメディア再生システム１で利用される光ディスク１０を説明する。
図２は光ディスク１０を情報記録面側から見た図であり、図３は光ディスク１０をレーベル面側から見た図である。
この光ディスク１０は、公知の光ディスクの規格に沿って形成され、情報記録領域ＡＲ１に、従来の映画タイトルを記録したＤＶＤと同様に、映画タイトル及び映画紹介（コマーシャル）の映像・音声データが記録されている。
さらに、この光ディスク１０は、情報記録領域ＡＲ１よりも内周側の非情報記録領域ＡＲ２に、半導体メモリ１１（図３参照）を備えた非接触通信用ＩＣチップ１２と、ループアンテナ１３と、バランス調整用の重り１４とを備えている。
【００１７】
より具体的には、この光ディスク１０は、従来から知られるように、上下一対の透明樹脂の間に記録層、反射層などを積層した一層記録式或いは二層記録式の光ディスクに形成されると共に、この記録層よりも内周側の透明樹脂のみの領域（非情報記録領域ＡＲ２）に、ループアンテナ１３が光ディスク１０の回転中心を中心に螺旋状に巻かれて構成され、このループアンテナ１３よりも光ディスク１０の表面側（レーベル面側）に非接触通信用ＩＣチップ１２が配置される。また、光ディスク１０に非接触通信用ＩＣチップ１２を配置しただけでは回転バランスを適正範囲内にできない場合が生じるため、この光ディスク１０の回転バランスを調整するために、非接触通信用ＩＣチップ１２と略同じ光ディスク１０の同心円上に重り１４が配置されている。なお、本例では、重り１４を非接触通信用ＩＣチップ１２に対して９０度間隔で計３つ配置する場合を例示したが、これに限らず、回転バランスを適正範囲に調整可能な範囲で任意に変更が可能である。
【００１８】
非接触通信用ＩＣチップ１２は、ループアンテナ１３を介して非接触通信するための各種回路を集積した部品であり、このＩＣチップ１２によって半導体メモリ１１が外部から非接触で通信可能に光ディスク１０に設けられる。
半導体メモリ１１は、不揮発性メモリの一種である強誘電体メモリ（ＦｅＲＡＭ）が適用される。強誘電体メモリ（ＦｅＲＡＭ）は、従来広く用いられてきたＥＥＰＲＯＭよりも高速読み書きでき、リフレッシュ動作が不要なため消費電力が少なく、かつ、長寿命である、といった特徴を有しており、かつ、情報を読み出すと記録された情報が消失する破壊読み出しを行えるという特徴も有する。このため、情報を一回読み出すと、再書き込みを行わない限り、その情報は半導体メモリ１１から消失する。
なお、従来の強誘電体メモリには、読み出した情報が消失しないように読み出した情報を再書き込みするものもあるが、本構成の半導体メモリ１１は再書き込みを行う構成を具備しないことによって上述の一回読み出しを可能にしている。また、半導体メモリ１１は、強誘電体メモリに限らず、情報を読み出すと記録された情報が消失する破壊読み出しメモリであればよい。
【００１９】
図４は半導体メモリ１１の内容を示す図である。
この図に示すように、この半導体メモリ１１の記録領域は、リリース情報を格納する第１領域１１Ａと、追加コンテンツ情報を格納する第２領域１１Ｂと、任意に使用可能な自由領域１１Ｃとに割り当てられている。
この半導体メモリ１１に記憶される各情報について説明すると、リリース情報は、この光ディスク１０のリリース日（発売年月日）及びタイトル情報である。また、追加コンテンツ情報は、光ディスク１０の情報記録領域ＡＲ１に記録されていない他のコンテンツの映像・音声データであり、例えば、情報記録領域ＡＲ１に記録される映画タイトルに関連する特典映像、情報記録領域ＡＲ１に記録される映画紹介よりも多数或いは長時間の映画紹介（コマーシャル）であり、光ディスク１０の視聴者（利用者３）にとって魅力のあるコンテンツ情報が適用される。
【００２０】
なお、これらリリース情報及び追加コンテンツ情報は、光ディスク１０のリリースの際に、リリース会社が光ディスク１０の半導体メモリ１１に記録しておくようにしてもよいし、又は、レンタルサービス提供者２が半導体メモリ１１への書込装置を具備し、光ディスク１０のレンタル時などに半導体メモリ１１に記録するようにしてもよい。
【００２１】
次にメディア再生装置２０を説明する。このメディア再生装置２０は、図１に示すように、単体ディスクプレーヤ構成の装置２１と、パーソナルコンピュータ構成の装置２２とがあるが、これらは光ディスク１０の再生処理を専用のハードウェア回路で行うか、ソフトウェア処理で行うかの違いはあるものの、機能構成は略同一である。以下、特に区別する必要がある場合を除いてメディア再生装置２０に共通のものとして説明する。
図５はメディア再生装置２０の機能構成を示すブロック図である。
メディア再生装置２０は、利用者３からリモコン、マウス、キーボードなどの操作装置を介して各種指示を入力する指示入力部（指示入力手段）４０を有し、指示入力部４０を介して入力された指示に応じて当該装置２０に装填された光ディスク１０を再生し、この光ディスク１０に記録された音声や映像の再生信号（音声信号、映像信号）を外部に出力する装置である。
【００２２】
上記光ディスク１０は、図示を省略したローディング機構によって当該再生装置２０内にローディングされ、ターンテーブル３１にクランプされる。このターンテーブル３１は、制御部４１の制御の下、駆動部４２を介して駆動モータ３２によって回転駆動され、これによって光ディスク１０が回転駆動される。
このターンテーブル３１の近傍には、光ピックアップ３３が配置され、この光ピックアップ３３は、光ディスク１０の情報記録領域ＡＲ１に向けてレーザ光を照射するレーザーダイオードと、このレーザ光の反射光を受光する受光素子と、この照射光及び反射光を集光するための対物レンズなどの光学系とを備え、レーザ光の反射光の受光レベルを示すＲＦ信号や、トラッキングエラー信号や、フォーカスエラー信号を出力する。
【００２３】
また、この光ピックアップ３３は、光ディスク１０の径方向に移動自在に支持され、制御部４１の制御の下、駆動部４２によって光ディスク１０の径方向の位置が制御（トラッキング制御を含む）されると共に、対物レンズのフォーカス制御が行われる。なお、上述のクランプ機構、光ピックアップ３３及び駆動部４２の構成は従来のものと同じである。
再生部（再生手段）４３は、制御部４１の制御の下、光ピックアップ３０から出力されるＲＦ信号から光ディスク１０に記憶された情報をデジタル処理で復調して再生するものである。
出力部４５は、再生部４３の出力データのディジタルアナログ変換などを行い、公知のアナログ形式の音声信号及び映像信号を出力する。なお、この出力部４５が、公知のデジタル形式の音声信号及び映像信号を出力するように構成しても構わない。
【００２４】
通信部４６は、非接触通信により光ディスク１０の半導体メモリ１１にアクセスするメモリアクセス手段として機能するものであり、光ディスク１０のループアンテナ１３に近接するアンテナ４６Ａを備え、このアンテナ４６Ａを介して所定の電波を送信し、光ディスク１０から返ってくる電波をアンテナ４６Ａを介して受信することにより半導体メモリ１１に記録された情報の読み取り、半導体メモリ１１への情報の書き込みを行う。なお、この非接触通信には公知の通信方式を広く適用可能である。このように電波を用いた非接触通信を行うことにより、光ディスク１０が回転駆動中であっても半導体メモリ１１の読み書きが可能になり、また、光ディスク１０の光学読み取りに影響を与えることもない。
【００２５】
制御部（再生コンテンツ制御手段）４１は、このメディア再生装置２０全体を制御するコンピュータとして機能するものであり、記憶部４７には、光ディスク再生用の制御プログラムなどの各種データが記憶され、制御部４１が記憶部４７に記憶された制御プログラムを実行することにより、このメディア再生装置２０の各部を制御して光ディスク１０の再生処理などを行う。
メディア再生装置２０は、現在日時を計時するリアルタイムクロック（現在日計時手段、以下、ＲＴＣという）４８を内蔵しており、このＲＴＣ４８により計時された現在日は制御部４１が適宜取得する。本構成では、上述した制御部４１、記憶部４７及びＲＴＣ４８を除いて上記各構成がドライブ装置２５に内蔵されているが、これに限らず、制御部４１、記憶部４７及びＲＴＣ４８についてもドライブ装置２５が具備するようにしてもよい。
【００２６】
なお、このメディア再生装置２０は、上述した半導体メモリ１１を備えた光ディスク１０の再生に限らず、公知のＣＤ、ＣＤ−ＲＯＭ或いはＤＶＤなどの光ディスクを再生することもできる。以下、これらの光ディスクを明確に区別するため、半導体メモリ１１を備えた光ディスク１０を、メモリ付光ディスク１０と表記し、公知の光ディスクを従来型光ディスク１０Ｘと表記して説明する。
【００２７】
次にメディア再生装置２０の動作を説明する。図６は光ディスク装填時の動作を示すフローチャートである。
図６に示すように、メディア再生装置２０に光ディスク（メモリ付光ディスク１０か従来型光ディスク１０Ｘかは不明）が装填されると、制御部４１は、光ディスク判別処理を開始する（ステップＳ１）。この光ディスク判別処理では、制御部４１が、通信部４６により光ディスクとの通信をトライし、その応答の有無により通信できたか否かを判定する（ステップＳ２）。
【００２８】
制御部４１は、通信できた場合（ステップＳ２：ＹＥＳ）、メモリ付光ディスク１０であると判定し、非接触通信により光ディスク１０の半導体メモリ１１に記録されたリリース情報の読み出しを行う（ステップＳ３）。この際、制御部４１は、半導体メモリ１１の第１領域１１Ａの読み出しを行うことによってリリース情報を読み出す。ここで、本構成では、半導体メモリ１１に破壊読み出しメモリを適用するため、リリース情報を読み出した後は一旦消失するが、本構成ではメディア再生装置２０側が半導体メモリ１１に再書き込みを行うことによって半導体メモリ１１内に常時格納させるようにしている。
【００２９】
次に、制御部４１は、リリース情報に基づいて該メモリ付光ディスク１０のリリース日（発売年月日）からＸ期間が経過しているか否かを判定する（ステップＳ４）。この場合、制御部４１は、ＲＴＣ４８から現在日を取得することでリリース日からＸ期間が経過しているかを正確に判定することができる。
ここで、Ｘ期間は、半導体メモリ１１に記録された追加コンテンツ情報の再生を禁止する期間である。一般に、ＤＶＤなどの光ディスクはリリース直後は人気があるため、レンタル頻度が高くなるが、一定期間を経過すると、リリース直後よりは人気が落ちてレンタル頻度が低下する。上記Ｘ期間は、レンタル頻度が低下すると予想される期間に設定され、例えば、３ヶ月に設定される。
【００３０】
ステップＳ４の判定で、メモリ付光ディスク１０のリリース日からＸ期間が経過していない場合（ステップＳ４：ＮＯ）、制御部４１は、メモリ付光ディスク１０の半導体メモリ１１に記録される追加コンテンツ情報の再生禁止を設定すべく、再生禁止を示すフラグ（再生禁止フラグ）を記憶部４７の所定領域に書き込む（ステップＳ７）。
また、上記ステップＳ２の判定で、通信部４６により光ディスクとの通信ができなかった場合には（ステップＳ２：ＮＯ）、装填された光ディスクが従来型光ディスク１０Ｘと判定できるため、制御部４１は、ステップＳ７の処理に移行し、追加コンテンツ情報の再生禁止を設定する。すなわち、メモリ付光ディスク１０が装填され、発売年月日からＸ期間が経過していない場合、及び、従来型光ディスク１０Ｘが装填された場合には、追加コンテンツ情報の再生禁止が設定される。
【００３１】
一方、ステップＳ４の判定で、メモリ付光ディスク１０の発売年月日からＸ期間が経過していた場合（ステップＳ４：ＹＥＳ）、制御部４１は、メモリ付光ディスク１０の半導体メモリ１１に記録される追加コンテンツ情報の再生許可を設定すべく、再生許可を示すフラグ（再生許可フラグ）を記憶部４７の所定領域に書き込み（ステップＳ６）、追加コンテンツ情報の再生許可を設定する。以上が光ディスク装填時の処理である。
【００３２】
上記処理後、制御部４１は、指示入力部４０を介して利用者３の指示入力待ちとなる。そして、光ディスクの再生指示が入力された場合、制御部４１は、記憶部４７に記憶された再生許可／禁止のフラグを参照し、再生禁止フラグが設定されている場合には、光ディスク１０の情報記録領域ＡＲ１に記録された映画タイトル及び映画紹介の再生処理を行い、光ディスク１０の半導体メモリ１１の第２領域１１Ｂに記録された追加コンテンツ情報の再生は行わない。
従って、メモリ付光ディスク１０が装填され、リリース日からＸ期間が経過していない場合、及び、従来型光ディスク１０Ｘが装填された場合には、光ディスク１０の情報記録領域ＡＲ１に記録されたコンテンツ情報のみが再生される。
【００３３】
一方、光ディスクの再生指示が入力され、かつ、再生許可フラグが設定されている場合には、制御部４１は、光ディスク１０の情報記録領域ＡＲ１に記録されたコンテンツ情報、及び、半導体メモリ１１に記録された追加コンテンツ情報の再生処理を行う。この場合、本実施形態では、利用者３から光ディスク１０を最初から再生する指示が入力された場合に、制御部４１が、通信部４６により半導体メモリ１１から追加コンテンツ情報を読み込み、再生部４３により再生する。そして、追加コンテンツ情報を再生した後に、光ディスク１０の情報記録領域ＡＲ１に記録されたコンテンツ情報（映画タイトル（本編））の再生を行う。
【００３４】
これによって、メモリ付光ディスク１０が装填され、リリース日（発売年月日）からＸ期間が経過すると、光ディスク１０の半導体メモリ１１に記録された追加コンテンツ情報が自動的に再生されるようになる。すなわち、このメモリ付光ディスク１０は、発売年月日からＸ期間が経過すると再生可能なコンテンツ情報が増える。
なお、利用者３が、チャプター指定で再生、といったように、途中からの再生を指示した場合には、従来のＤＶＤの再生と同様に、指定された位置からの再生を実行し、追加コンテンツ情報については、本編終了後に自動再生してもよいし、自動再生しないようにしてもよい。
また、本構成では、半導体メモリ１１に破壊読み出しメモリを適用するため、追加コンテンツ情報を読み出した後は一旦消失するが、メディア再生装置２０側が半導体メモリ１１に再書き込みを行うことによって半導体メモリ１１内に常時格納させるようにしている。
【００３５】
以上説明したように、本実施の形態によれば、光ディスク１０に非接触で通信可能に半導体メモリ１１を設けると共に、この半導体メモリ１１にリリース情報及び追加コンテンツ情報を記録しておき、メディア再生装置２０が、リリース情報に基づきリリース日から所定期間が経過している場合は、半導体メモリ１１に記録された追加コンテンツ情報の再生を禁止し、所定期間が経過している場合に追加コンテンツ情報の再生を行うので、視聴時期（再生時期）に応じて再生可能なコンテンツを増減することができる。
このように、所定期間経過後に再生可能なコンテンツが増えると、利用者３にとっては光ディスク１０の魅力が増すので、リリース日から期間が経過した後でもレンタル頻度が低下する事態を回避することができ、また、同じ利用者３がこの光ディスク１０を再び視聴したくなり、この光ディスク１０を繰り返しレンタルするリピータを増やすことができる。
【００３６】
しかも、本構成では、半導体メモリ１１に、情報を読み出すと記録された情報が消失し、消失情報の再書き込みを行わない破壊読み出しメモリを使用するので、半導体メモリ１１から不正に追加コンテンツ情報を読み出すと、追加コンテンツ情報が半導体メモリ１１から消失する。このため、複数の不正機器で追加コンテンツ情報を読み出すといった不正読み出しを回避することができる。
また、本構成では、光ディスク１０の情報記録領域ＡＲ１よりも内周側の非情報記録領域ＡＲ２に、半導体メモリ１１、非接触通信用ＩＣチップ１２及びループアンテナ１３を配置するので、これら部品によって情報記録領域ＡＲ１の情報が読めなくなる事態を回避しつつ、これら部品による遠心力の増大も抑えることができる。しかも、非情報記録領域ＡＲ２にバランス調整用の重り１４を配置するので、光ディスク１０の回転バランスを適切範囲内に容易に収めることができる。
【００３７】
＜第２実施形態＞
図７は第２実施形態に係る半導体メモリ１１の内容を示す図である。
第２実施形態では、半導体メモリ１１に複数の追加コンテンツ情報（第１追加コンテンツ情報、第２追加コンテンツ情報、第３追加コンテンツ情報）が記録され、各追加コンテンツ情報の再生を許可する期間を異ならせる点が、第１実施形態と異なる。以下、異なる点を詳細に説明する。
第２実施形態では、メディア再生装置２０にメモリ付光ディスク１０が装填されると、非接触通信により光ディスク１０の半導体メモリ１１に記録されたリリース情報の読み出し、リリース日（発売年月日）からの経過期間が第１期間（本例では３ヶ月〜６ヶ月）か、第２期間（本例では６ヶ月〜９ヶ月）か、第３期間（本例では９ヶ月〜）か否かを判定する。そして、経過期間が第１期間の場合は、第１追加コンテンツ情報の再生許可（第１再生許可フラグ）を設定し、経過期間が第２期間の場合は、第２追加コンテンツ情報の再生許可（第２再生許可フラグ）を設定し、経過期間が第３期間の場合は、第３追加コンテンツ情報の再生許可（（第３再生許可フラグ））を設定し、第１期間〜第３期間のいずれにも該当しない場合は、再生禁止（再生禁止フラグ）を設定する。
【００３８】
そして、光ディスク１０の再生指示が入力された場合、メディア再生装置２０の制御部４１は、上記再生許可／禁止のフラグを参照し、再生禁止フラグが設定されている場合は、図８に示すように、光ディスク１０の情報記録領域ＡＲ１に記録されたコンテンツ情報のみの再生を行う（図８中、リリース〜３ヶ月）。
一方、第１再生許可フラグが設定されている場合、制御部４１は、光ディスク１０の情報記録領域ＡＲ１に記録されたコンテンツ情報、及び、半導体メモリ１１に記録された第１追加コンテンツ情報を再生する（図８中、リリース後３ヶ月〜６ヶ月）。
【００３９】
また、制御部４１は、第２再生許可フラグが設定されている場合、情報記録領域ＡＲ１のコンテンツ情報、及び、半導体メモリ１１の第２追加コンテンツ情報を再生し（図８中、リリース後６ヶ月〜９ヶ月）、また、第３再生許可フラグが設定されている場合、情報記録領域ＡＲ１のコンテンツ情報、及び、半導体メモリ１１の第３追加コンテンツ情報を再生する（図８中、リリース後９ヶ月〜）。
すなわち、このメモリ付光ディスク１０は、リリース日からの経過期間に応じて再生可能な追加コンテンツ情報が変更される。
これにより、視聴時期に応じて再生可能なコンテンツ情報が切り替わり、利用者３にとっては、期間を空けて繰り返し光ディスク３をレンタルしたくなる。そして、リリース日から期間が経過した後でもレンタル頻度が低下する事態を回避できるばかりか、むしろ、繰り返し同じ光ディスク１０をレンタルするリピータを増やすことが可能である。
【００４０】
本実施形態では、半導体メモリ１１に複数の追加コンテンツ情報を記録し、追加コンテンツ情報毎に各コンテンツ情報の再生を許可する再生許可時期を設定したので、第１実施形態の効果に加えて、視聴時期（再生時期）に応じて再生可能な追加コンテンツ情報を様々に変更でき、長期に亘ってレンタル頻度の低下を抑えることができる。
この場合、図８に示すように、リリース日から期間が経過するほど、追加コンテンツ情報の情報量を増やしておけば、長期間経過してもレンタルしたい利用者３がより増えると考えられ、レンタル頻度の低下をより長期に亘って抑えることができる。
【００４１】
なお、本発明は上述の実施形態に限定されるものではなく、本発明の目的を達成できる範囲での変形、改良などは本発明に含まれる。例えば、上述の実施形態では、リリース日を追加コンテンツ情報の再生許可時期を特定する起算日（時期特定情報）としたが、これに限らず、その他の時期（例えば、リリースの年、リリースの月など）を適用してもよい。
また、上述の実施形態では、光ディスク装填時に追加コンテンツ情報の再生許可か再生禁止かを判定して設定する場合について説明したが、これに限らない。例えば、光ディスクの再生指示が入力された場合に、追加コンテンツ情報の再生許可か再生禁止かを判定して設定するようにしてもよい。
また、上述の実施形態では、光ディスク１０のレンタルサービスに本発明を適用する場合について説明したが、これに限らず、本発明の光ディスク１０及びメディア再生装置２０を販売するだけでもよい。
【００４２】
また、上述の第２実施形態では、視聴時期に応じて再生可能な追加コンテンツ情報を切り替える場合について説明したが、これに限らず、期間の経過に伴って再生可能な追加コンテンツ情報を増減するようにしてもよい。例えば、リリース後３ヶ月〜６ヶ月は第１追加コンテンツ情報を再生可能にし、リリース後６ヶ月〜９ヶ月は第１及び第２追加コンテンツ情報を再生可能にし、リリース後９ヶ月〜は第１〜第３追加コンテンツ情報を再生可能にしてもよい。
また、上述の実施形態では、期間の経過に伴って再生可能なコンテンツ情報を増やす場合について説明したが、これに限らず、予め定めた一定期間だけ追加コンテンツ情報を再生可能にし、その前後の期間は追加コンテンツ情報を再生禁止にする、或いは、期間の経過に伴って再生可能なコンテンツ情報を減らす、といった様々な応用が可能である。
【００４３】
また、上述の実施形態では、半導体メモリ１１に破壊読み出しメモリを使用する場合を説明したが、これに限らず、他の不揮発性メモリを適用してもよい。
また、上述の実施形態では、メディア再生装置２０が実行する制御プログラムを予め装置内の記憶部４７に格納しておく場合について説明したが、この制御プログラムを、磁気記録媒体、光記録媒体、半導体記録媒体などのコンピュータが読み取り可能な記録媒体に格納し、コンピュータが記録媒体からこの制御プログラムを読み取って実行するようにしてもよい。また、この制御プログラムを通信ネットワーク上の配信サーバなどからダウンロードできるようにしてもよい。
【図面の簡単な説明】
【００４４】
【図１】本発明の実施形態に係るメディア再生システムの概要図である。
【図２】光ディスクを情報記録面側から見た図である。
【図３】光ディスクをレーベル面側から見た図である。
【図４】半導体メモリの内容を示す図である。
【図５】メディア再生装置の機能構成を示すブロック図である。
【図６】光ディスク装填時の動作を示すフローチャートである。
【図７】第２実施形態に係る半導体メモリの内容を示す図である。
【図８】視聴時期と再生可能なコンテンツとの対応関係を示す図である。
【符号の説明】
【００４５】
１…メディア再生システム、５、２５…ドライブ装置（メモリアクセス手段）、１０…光ディスク（光記録メディア）、１１…半導体メモリ（強誘電体メモリ（ＦｅＲＡＭ））、１２…非接触通信用ＩＣチップ、１３…ループアンテナ、１４…重り、２０、２２、２４…メディア再生装置、３３…光ピックアップ、４０…指示入力部（指示入力手段）、４１…制御部（再生コンテンツ制御手段）、４２…駆動部、４３…再生部（メディア再生手段）、４５…出力部、４６…通信部（メモリアクセス手段）、４６Ａ…アンテナ、４７…記憶部、４８…リアルタイムクロック（現在日計時手段）。
【図１】
2009116935.tif 000003
【図２】
2009116935.tif 000004
【図３】
2009116935.tif 000005
【図４】
2009116935.tif 000006
【図５】
2009116935.tif 000007
【図６】
2009116935.tif 000008
【図７】
2009116935.tif 000009
【図８】
2009116935.tif 000010